(57)【要約】      （修正有）【課題】複雑な機構は限りなく省き、極めて簡素な構造から成立つ為、複雑な技術を大幅に簡略化する事が出来、例えば故障した時そして調整などを必要とする場合に従来のように高額を必要とする事が少なく、エレベーターなどを身近に使用する事を可能とする。【解決手段】本発明が課題とする解決の手段は、複雑な部品などを極力省き、停止精度を高める。そして高速度若しくは超高速度の移動体を制御するのが極めて簡素な部品や材料から成立つ事で、従来に無い停止精度を極めて安価に製造する事が可能な為、これまで入手が困難だった高速度若しくは超高速度のエレベーターなどを故障が少なく、整備点検などが簡易な技術で対応可能な発明の為、これまで専門的な技術や経験が無くても、極めて短期間でこのエレベーターなどの技術を習得し、実践に着く事が可能な技術の為、様々な建物などへの導入計画が容易である。【選択図】図１
2006131411.tif 000002
【特許請求の範囲】
【請求項１】
本発明はエレベーター（リフト及び昇降装置）などの停止精度を高める為の発明です。移動速度が上昇するに連れ、それに反比例して停止精度のバラツキが増します。本発明は（６）昇降装置籠側の支持柱へ特殊な取り付け方にて設置された磁界（Ｎ．Ｓ）を装着して、（１７）昇降装置籠側の支持柱へ設置された界磁コイルなど複数個（又は複数組み）を移動させる事で、電気的．機構的に精度の高いマグネットスケール（界磁センサーの事）を作り上げる事が出来、エレベーター（リフト及び昇降装置）などの位置や座標の判別に対して正確な情報を得る事が可能な発明です。（補足として、この本発明は高速移動若しくは超高速移動を目的として定義を致しますが、従来の一般的なエレベーターなどの応用も可能な発明です。）又、ここで採用される磁石には特殊磁性体や超高出力磁性体及び、一般的な磁性体から成る磁石の適用が可能です。
【請求項２】
本発明は（１７）昇降装置籠側の支持柱へ設置された界磁コイルを設置する事で高速度で移動するエレベーター（リフト及び昇降装置）などへ、この界磁コイル（特殊複合複数巻き方式）へ外部から適度な抵抗値（例えば１ｋΩ〜０Ω  注意．この抵抗の数値は任意に変えられます）を持つ制動抵抗装置の負荷を掛ける事で、エレベーター（リフト及び昇降装置）などに無理な衝撃が加わる事が非常に少なくする事で、高速移動体のエレベーター（リフト及び昇降装置）以後はエレベーターなどと略して説明します。エレベーターなどに対して停止精度対コストの比が優れた装置の製造が可能な発明です。
【発明の詳細な説明】
【技術分野】
【０００１】本発明は一般的なエレベーターなどと異なり高速度若しくは超高速度の移動体を対象とした発明で、従来の制動装置ではそれなりの振動や衝撃を残留する事は技術的な面と、そして装置自体から成る性能的な限界値から見てやむを得ないと考えられてきました。そこで、本発明は高速度若しくは超高速度で移動するエレベーターなどへ、（６）昇降装置籠側の支持柱へ設置された磁界（Ｎ．Ｓ）と、（１７）昇降装置籠側の支持柱へ設置された界磁コイルを移動させる事で、マグネットスケールと界磁コイルを外部から適度な抵抗値を持つ制動抵抗装置の負荷を掛ける事で、低価格にて停止精度を高めたブレーキ装置の発明です。
【背景技術】
【０００２】本発明が従来と大きく異なる点には、これからの社会的背景に建物の高層ビル．マンション化が進んで参りました。例えば六本木ヒルズや都庁ビル。更には海外で、例えば中国の上海などでは超高層ビル．マンションの建設ラッシュです。これらのエレベーターなどには従来とは大幅に異なった新しい技術が必要不可欠です。本発明は高速度若しくは超高速度の移動体のコストを押さえ、機械的な振動や衝撃などを極限に少なくして、更には、昇降スライド部分に（１７）昇降装置籠側の支持柱へ設置された界磁コイルに制動抵抗装置の負荷を掛ける事で、機械的な振動や衝撃を極度に緩和する事が可能な背景を技術として活用した発明です。【０００３】本発明は高度な技術を必要とする高価なエレベーターなどを極めて低価格にて製造する事が可能な発明で特殊な電子機器や電子回路基盤などを大幅に節約した技術です。又、磁石とコイルから成る機械的に見ても極めて簡素な部品から成り立っているので、省エネ省材料の点から見ても時代のニーズに適した技術の発明です。
【特許文献１】特開平０９−０９３９７４リニアモータ装置の損傷を防ぐリニアモータ装置及びリニアモータ式エレベーター制御装置を提供すること。【特許文献２】特開平１０−２３１０９６倉庫の低い天井や入口部の梁等との衝突を自動的に回避する。【特許文献３】特開平０６−２５５９１９乗りかご１の停止位置検出器７の動作特性の良否の監視判定を、自動的に適確かつ簡単に行うエレベーター停止位置検出器の監視装置を提供する。【特許文献４】特開平０７−１９６２７３エレベーターの運転に伴う乗りかごの案内を多目標に制御し、乗りかごの走行時の横揺れ、停止乗り込み時の横ゆれ、レールとガイド装置との接触回避．．．．【特許文献５】特開平１１−１００１８０従来の位置検出器は巻上機電動機の軸端等に設けていたが、非常時の検出用ハンドル取付けスペースも必要とするため、検出器精度向上のため、位置．．．．【特許文献６】特開平０８−１３３６４４本発明の目的は、鉄粉等の異物により軸受を損傷することなく、安全，低騒音のエレベーターの巻上装置を提供することにある。【特許文献７】特開平１０−１２９９５８本発明の目的は電磁力発生手段を長円形にしなくとも一対のガイドレ−ル間方向の寸法を縮小するのに適した電磁ブレ−キ装置及びそれを搭載した．．．．【特許文献８】特開平１０−１１４４７５乗りかごの位置を検出するための複雑な検出装置や制御回路の設計変更を必要とせず、従って、新たな労力や費用の負担が少ないエレベーターの．．．．
以上の特許文献１から特許文献８迄の内容を特許庁データベースより検索致しました。これら全てエレベーターなどの停止精度に付いての特許です。私の発明と根本的に異なる点として、磁気（Ｎ．Ｓ）と界磁コイルを特殊複合複数巻き方式や取付け方などに付いて工夫した発明ですので、ここへ異なる点を進言申し上げ致しました。特許庁の審査官の方へ宜しく申し上げ致します。
【発明の開示】
【発明が解決しようとする課題】
【０００４】これまでのエレベーターなどは高価な物と言った評価が自然でした。そこで本発明は複雑な機構は限りなく省き、極めて簡素な構造から成立つ為、複雑な技術を大幅に簡略化する事が出来、例えば故障した時そして調整などを必要とする場合に従来のように高額を必要とする事が少なく、エレベーターなどを身近に使用する事が可能とする発明です。
【課題を解決するための手段】
【０００５】本発明が課題とする解決の手段は、複雑な部品などを極力省き、停止精度を高める為の発明です。そして高速度若しくは超高速度の移動体を制御するのが極めて簡素な部品や材料から成立つ事で、従来に無い停止精度を極めて安価に製造する事が可能な為、これまで入手が困難だった高速度若しくは超高速度のエレベーターなどを故障が少なく、整備点検などが簡易な技術で対応可能な発明の為、これまで専門的な技術や経験が無くても、極めて短い期間でこのエレベーターなどの技術を習得し、実践に着く事が可能な技術の為、様々な建物などへの導入計画が容易な発明の手段です。
【発明の効果】
【０００６】本発明の効果として、これまで高速度若しくは超高速度の移動体は高価で入手が困難でした。そこで本発明は極めて簡素な素材を用いた事により、従来に無かった低価格で高信頼度のエレベーターなどを製造する事が可能と成り、不特定多数の方にエレベーターなどを導入する事が可能となり、社会的．経済的な観点からも波及的な効果が期待される発明です。
【発明を実施するための最良の形態】
【０００７】本発明は高層ビル．マンションなどへ高速度若しくは超高速度の移動体を停止精度の高いエレベーターなどの装置を、従来には無かった低価格で提供する事でエレベーターなどがより一層の身近な物として導入して行く事で、今後の近代都市などの高層ビル．マンションなどへ導入される事が最良の形態と考えられます。
【実施例１】
【０００８】本発明の実施例１として高層ビル．マンションの高速度若しくは超高速度の移動体。振動や衝撃を嫌うエレベーターなどへの導入が適材適所と考えられます。又、従来の一般的なエレベーターなどへも充分に活用ができます。
【産業上の利用可能性】
【０００９】本発明は近代的な高層ビル．マンションなどに不可欠な高速度若しくは超高速度の移動体（エレベーター）などには、必然的に停止精度の高信頼度が要求されて来る為、価格は非常に高価と成りました。本発明は一般的な部品を巧みに使いこなす事で非常に低価格で信頼度の高いエレベーターなどを製造する事が可能と成ります。又、これまでのエレベーターなどと比較して、性能が高い割に設備の部品点数や構造が簡素な事により、特別に豊富な知識や技術などを必要としません。そのような事からサービスマン（整備士）の養成などは従来の知識を理解されている方であれば、わずかな知識と技術の養成を補う事で、今後に期待される高層ビル．マンション化、更には高速度若しくは超高速度なエレベーターなどに、本発明は限りない利用可能性を期待する事が出来る発明です。
【図面の簡単な説明】
【００１０】
【図１】  本発明の（上面図）
【図２】  本発明の（正面図）
【図３】  本発明の（側面図  透視図面にて表記）
【符号の説明】
【００１１】１−昇降装置天井固定子側の送受信アンテナ。
２−昇降装置籠側支持柱の中心。          ３−昇降装置籠側マイコン及び送受信装置。
４−昇降装置籠側の送受信アンテナ。      ５−昇降装置の本体。
６−昇降装置籠側の支持柱へ設置された磁界。７−昇降装置外郭の本体。
８−天井の吊りフックの支持具。          ９−天井の吊りフック。
１０−昇降装置外郭の扉。              １１−昇降装置中扉。
１２−昇降装置籠内扉。                １４−特殊変調の誘導起電力受信器。
１５−特殊変調の誘導起電力送信器。    １６−昇降装置籠側の吊りフック。
１７−昇降装置籠側の支持柱へ設置された界磁コイル。１８−上昇の呼出し指示ボタン。
１９−下降の呼出し指示ボタン。        ２０−昇降装置外郭のインジケータ本体。
２１−昇降装置外郭の停止位置到着中の表示灯。
【図１】
2006131411.tif 000003
【図２】
2006131411.tif 000004
【図３】
2006131411.tif 000005